(57)【特許請求の範囲】
【請求項１】
測定された被測定量を示す第１画面についての表示用データを表示部に出力して当該第１画面を当該表示部に表示させる表示制御部と、前記第１画面の画像を含む画像データを生成する生成処理を実行する処理部とを備えたデータ生成装置であって、
前記表示制御部は、前記第１画面における前記被測定量に関連する情報を示す第２画面についての前記表示用データを前記表示部に出力して当該第２画面を前記表示部に表示可能に構成され、
前記処理部は、前記第１画面と前記第２画面とのいずれかが前記表示部に表示されている状態において予め決められた第１指示操作がされたときに、前記生成処理において、前記第１画面と、予め設定された１または複数の前記第２画面であって前記第１指示操作によって一体にすることを指示された当該第２画面とを一体にした画像の前記画像データを前記表示用データとは別のデータとして生成するデータ生成装置。
【請求項２】
前記第１指示操作によって一体にすることを指示する前記１または複数の第２画面を複数の前記第２画面の中から予め設定可能に構成されている請求項１記載のデータ生成装置。
【請求項３】
前記第１画面における前記被測定量を測定する際の測定条件に関する情報を示す測定条件画面が前記第１指示操作によって一体にすることを指示する前記第２画面として予め設定されている請求項１または２記載のデータ生成装置。
【請求項４】
前記第１画面のみで構成された画像の前記画像データの生成を指示する第２指示操作が可能に構成され、
前記処理部は、前記第２指示操作がされたときに、前記生成処理において、前記第１画面のみで構成された画像の前記画像データを生成する請求項１から３のいずれかに記載のデータ生成装置。
【請求項５】
請求項１から４のいずれかに記載のデータ生成装置と、前記被測定量を測定する測定部とを備えている測定装置。
【請求項６】
測定された被測定量を示す第１画面についての表示用データを表示部に出力して当該第１画面を当該表示部に表示させると共に、前記第１画面の画像を含む画像データを生成する生成処理を実行するデータ生成方法であって、
前記第１画面を前記表示部に表示させている状態、および当該第１画面における前記被測定量に関連する情報を示す第２画面についての前記表示用データを前記表示部に出力して当該第２画面を当該表示部に表示させている状態のいずれかの状態において予め決められた第１指示操作がされたときに、前記生成処理において、前記第１画面と、予め設定された１または複数の前記第２画面であって前記第１指示操作によって一体にすることを指示された当該第２画面とを一体にした画像の前記画像データを前記表示用データとは別のデータとして生成するデータ生成方法。
【発明の詳細な説明】
【技術分野】
【０００１】
本発明は、表示部に表示された被測定量を示す第１画面を含む画像の画像データを生成するデータ生成装置、測定装置およびデータ生成方法に関するものである。
【背景技術】
【０００２】
この種の装置として、下記特許文献１において出願人が開示した測定表示装置が知られている。この測定表示装置では、入力信号の波形をディスプレイに表示させている状態において操作部のプリンタキーが操作されたときには、ディスプレイに表示されている画面と同じ画面がプリンタによってプリントアウトされる。
【先行技術文献】
【特許文献】
【０００３】
【特許文献１】特開平９−１５９６９９号公報（第３頁、第２図）
【発明の概要】
【発明が解決しようとする課題】
【０００４】
ところが、上記の測定表示装置には、改善すべき以下の課題がある。すなわち、この測定表示装置では、ディスプレイに表示させている波形の画面と同じ画面をプリントアウトすることが可能となっている。一方、プリントアウトした波形が、どのような測定条件で測定された波形であるかを把握したいことがある。この場合、この測定表示装置では、測定条件の主要項目が波形の画面に表示されるものの、詳細項目は、波形の画面に表示されずに、波形の画面とは別の測定条件設定画面に表示される。このため、従来の測定表示装置において、測定条件の詳細項目を把握したいときには、波形の画面から測定条件設定画面に表示を切り替えて、その状態でプリントアウトの操作を再度行う必要があり、煩雑である。また、このようなプリントアウトの操作を複数回行ったときには、波形の画面をプリントアウトしたプリント物と測定条件設定画面をプリントアウトしたプリント物とが別体となるため、各プリント物を関連付けて保存しておかないと、各プリント物の関連性が不明となり、どのような測定条件で測定された波形であるかを把握することが困難となる。また、プリントアウトに代えて、各画面の画像を取り込んで画像データとして保存する際にも、プリントアウトの際の操作と同様にして画像データの保存指示の操作を複数回行う必要があり、煩雑であると共に、各画像データを関連付けて記憶させないと、両画像データの関連性が不明となり、どのような測定条件で測定された波形であるかを把握することが困難となる。
【０００５】
本発明は、かかる改善すべき課題に鑑みてなされたものであり、被測定量を示す第１画面における被測定量に関連する情報を把握可能な画像データを確実かつ容易に生成し得るデータ生成装置、測定装置およびデータ生成方法を提供することを主目的とする。
【課題を解決するための手段】
【０００６】
上記目的を達成すべく請求項１記載のデータ生成装置は、測定された被測定量を示す第１画面についての表示用データを表示部に出力して当該第１画面を当該表示部に表示させる表示制御部と、前記第１画面の画像を含む画像データを生成する生成処理を実行する処理部とを備えたデータ生成装置であって、前記表示制御部は、前記第１画面における前記被測定量に関連する情報を示す第２画面についての前記表示用データを前記表示部に出力して当該第２画面を前記表示部に表示可能に構成され、前記処理部は、前記第１画面と前記第２画面とのいずれかが前記表示部に表示されている状態において予め決められた第１指示操作がされたときに、前記生成処理において、前記第１画面と、予め設定された１または複数の前記第２画面であって前記第１指示操作によって一体にすることを指示された当該第２画面とを一体にした画像の前記画像データを前記表示用データとは別のデータとして生成する。
【０００７】
また、請求項２記載のデータ生成装置は、請求項１記載のデータ生成装置において、前記第１指示操作によって一体にすることを指示する前記１または複数の第２画面を複数の前記第２画面の中から予め設定可能に構成されている。
【０００８】
また、請求項３記載のデータ生成装置は、請求項１または２記載のデータ生成装置において、前記第１画面における前記被測定量を測定する際の測定条件に関する情報を示す測定条件画面が前記第１指示操作によって一体にすることを指示する前記第２画面として予め設定されている。
【０００９】
また、請求項４記載のデータ生成装置は、請求項１から３のいずれかに記載のデータ生成装置において、前記第１画面のみで構成された画像の前記画像データの生成を指示する第２指示操作が可能に構成され、前記処理部は、前記第２指示操作がされたときに、前記生成処理において、前記第１画面のみで構成された画像の前記画像データを生成する。
【００１０】
また、請求項５記載の測定装置は、請求項１から４のいずれかに記載のデータ生成装置と、前記被測定量を測定する測定部とを備えている。
【００１１】
また、請求項６記載のデータ生成方法は、測定された被測定量を示す第１画面についての表示用データを表示部に出力して当該第１画面を当該表示部に表示させると共に、前記第１画面の画像を含む画像データを生成する生成処理を実行するデータ生成方法であって、前記第１画面を前記表示部に表示させている状態、および当該第１画面における前記被測定量に関連する情報を示す第２画面についての前記表示用データを前記表示部に出力して当該第２画面を当該表示部に表示させている状態のいずれかの状態において予め決められた第１指示操作がされたときに、前記生成処理において、前記第１画面と、予め設定された１または複数の前記第２画面であって前記第１指示操作によって一体にすることを指示された当該第２画面とを一体にした画像の前記画像データを前記表示用データとは別のデータとして生成する。
【発明の効果】
【００１２】
請求項１記載のデータ生成装置、請求項５記載の測定装置、および請求項６記載のデータ生成方法では、第１画面と第２画面とのいずれかが表示部に表示されている状態において予め決められた第１指示操作がされたときに、第１画面と第１指示操作によって一体にすることを指示された第２画面とを一体にした画像の画像データを生成する。このため、このデータ生成装置、測定装置およびデータ生成方法によれば、一体化した画像の画像データを１回の第１指示操作で生成させることができる結果、表示部に表示されている画面のみの画像データを生成する構成および方法と比較して、第１画面における被測定量に関連する情報を把握可能な画像データを確実かつ容易に生成することができる。
【００１３】
また、請求項２記載のデータ生成装置、および請求項５記載の測定装置によれば、第１指示操作によって一体にすることを指示する第２画面を複数の第２画面の中から予め設定可能に構成したことにより、第１画面と共に一体にする第２画面を、画像データの利用目的に応じて、任意に指定することができるため、利便性を十分に高めることができる。
【００１４】
また、請求項３記載のデータ生成装置、および請求項５記載の測定装置によれば、第１画面における被測定量を測定する際の測定条件に関する情報を示す測定条件画面を第１指示操作によって一体にすることを指示する第２画面として予め設定することにより、第１画面における被測定量に関する情報として利用頻度の高い情報である測定条件の情報を把握可能な画像データを確実かつ容易に生成することができる。
【００１５】
また、請求項４記載のデータ生成装置、および請求項５記載の測定装置によれば、第２指示操作がされたときに、生成処理において、第１画面のみで構成された画像の画像データを生成することにより、画像データ内に第２画面に相当するデータを含めることが不要なときには、第２指示操作をすることで、第２画面に相当するデータを省略したデータサイズが小さい画像データを生成させることができるため、画像データを記憶させるメモリの効率的な利用、および画像データの読み出しや書き込みの高速化を図ることができる。また、このような画像データを生成させることで、画像データに基づく画像をプリントアウトしたり、表示させたりする際に、第２画面に相当する不要な部分を省くことができる。
【図面の簡単な説明】
【００１６】
【図１】測定装置１の正面図である。
【図２】測定装置１の構成を示す構成図である。
【図３】波形画面Ｇ１ａの表示画面図である。
【図４】測定条件画面Ｇ２ａの表示画面図である。
【図５】一体化画像Ｇｃａの構成を示す構成図である。
【図６】一体化画像Ｇｃｂの構成を示す構成図である。
【図７】一体化画像Ｇｃｃの構成を示す構成図である。
【図８】一体化画像Ｇｃｄの構成を示す構成図である。
【図９】画像Ｇｅの構成を示す構成図である。
【発明を実施するための形態】
【００１７】
以下、データ生成装置、測定装置およびデータ生成方法の実施の形態について、添付図面を参照して説明する。
【００１８】
最初に、測定装置１の構成について説明する。図１に示す測定装置１は、測定装置の一例であって、被測定量（例えば、図外の測定対象を流れる電流）を測定すると共に、図３に示す波形画面Ｇ１ａ（被測定量を示す第１画面の一例）や図４に示す測定条件画面Ｇ２ａ（被測定量に関連する情報を示す第２画面の一例）等の各種の画面を表示可能に構成されている。また、測定装置１は、波形画面Ｇ１ａを含む画像の画像データＤ４を生成可能に構成されている。具体的には、測定装置１は、図２に示すように、信号変換部１１、第１メモリ１２、第２メモリ１３、表示制御部１４、表示部１５、操作部１６および制御部１７を備えて構成されている。この場合、表示制御部１４、操作部１６および制御部１７によってデータ生成装置が構成される。
【００１９】
信号変換部１１は、制御部１７の制御に従って変換処理を実行し、図外のセンサから出力される電気信号ＳｍをＡ／Ｄ変換して波形データＤ１を出力する。この場合、この測定装置１では、信号変換部１１が複数の（一例として、１ＣＨ〜４ＣＨまでの４つの）変換回路を備えて、複数の電気信号Ｓｍに対して並行して変換処理を実行可能に構成されている。第１メモリ１２は、制御部１７の制御に従い、信号変換部１１から出力される波形データＤ１、および制御部１７によって生成される測定データＤ２や測定条件データＤ３を記憶する。第２メモリ１３は、制御部１７によって実行される後述する生成処理によって生成される画像データＤ４を記憶する。
【００２０】
表示制御部１４は、制御部１７の制御に従い、各種の画面を表示部１５に表示させる表示処理を実行する。具体的には、表示制御部１４は、第１メモリ１２に記憶されているデータに基づき、図外のＶＲＡＭ上に表示用データを書き込み、その表示用データを表示部１５に出力することにより、表示部１５に画面を表示させる。この場合、表示制御部１４は、第１メモリ１２に記憶されている波形データＤ１および測定データＤ２に基づく波形画面Ｇ１ａ（図３参照）、並びに第１メモリ１２に記憶されている測定条件データＤ３に基づく測定条件画面Ｇ２ａ（図４参照）を、操作部１６に対する操作に応じて切り替えて表示部１５に表示させる。
【００２１】
表示部１５は、例えば液晶パネルで構成されて、図１に示すように、測定装置１の正面パネルに配設され、表示制御部１４の制御に従って波形画面Ｇ１ａおよび測定条件画面Ｇ２ａ等の各種の画面を表示する。
【００２２】
操作部１６は、図１に示すように、電源スイッチ２１、記録開始キー２２、記録終了キー２３、波形表示キー２４、測定条件設定キー２５およびコピーキー２６等の各種のスイッチやキーが配設されて構成され、これらが操作されたときに、操作信号Ｓｏを出力する。
【００２３】
制御部１７は、操作部１６から出力される操作信号Ｓｏに従って測定装置１を構成する各部を制御する。また、制御部１７は、測定部として機能し、信号変換部１１から出力される波形データＤ１に基づいて被測定量（例えば、測定対象を流れる電流）を測定する。また、制御部１７は、処理部として機能し、表示部１５に表示される波形画面Ｇ１ａを少なくとも含む画像の画像データＤ４を生成する生成処理を実行する。具体的には、制御部１７は、波形画面Ｇ１ａが表示されている状態において、操作部１６のコピーキー２６に対する操作（予め決められた第１指示操作の一例）がされたときに、生成処理を実行して、波形画面Ｇ１ａと測定条件画面Ｇ２ａ（コピーキー２６に対する操作によって一体にすることを指示される第２画面の一例）とを一体にした一体化画像Ｇｃａ（図５参照）の画像データＤ４を生成する。また、制御部１７は、生成した画像データＤ４を第２メモリ１３に記憶させる。
【００２４】
次に、測定装置１を用いて被測定量（例えば、測定対象を流れる電流）を測定して、画像データＤ４を生成するデータ生成方法、および、その際の測定装置１の動作について、図面を参照して説明する。なお、３つの測定対象を流れる電流を並行して測定する例について説明する。
【００２５】
まず、操作部１６の電源スイッチ２１を操作して、電源を投入する。次いで、被測定量の測定に先立ち、測定条件を設定する。具体的には、操作部１６の測定条件設定キー２５を操作して、測定条件の設定の開始を指示する。この際に、操作部１６が操作信号Ｓｏを出力し、制御部１７が、操作信号Ｓｏに従って表示制御部１４に対して表示処理の実行を指示する。これに応じて、表示制御部１４が、表示処理を実行して、図４に示す測定条件画面Ｇ２ａを表示部１５に表示させる。
【００２６】
続いて、操作部１６を操作して測定条件を入力する。この際に、制御部１７は、操作部１６から出力される操作信号Ｓｏに基づいて測定条件データＤ３を生成する。次いで、制御部１７は、測定条件データＤ３を第１メモリ１２に記憶させる。
【００２７】
続いて、図外の３つの測定対象（電線）にそれぞれ配置した図外の３つのセンサを信号変換部１１に接続し、次いで、操作部１６の記録開始キー２２を操作して、記録の開始を指示する。この際に、操作部１６が操作信号Ｓｏを出力し、制御部１７が、操作信号Ｓｏに従って信号変換部１１に変換処理を実行させる。この変換処理では、信号変換部１１の各変換回路が、入力した（各センサからそれぞれ出力された）電気信号ＳｍをＡ／Ｄ変換して波形データＤ１をそれぞれ出力する。また、制御部１７は、信号変換部１１から出力された各波形データＤ１を第１メモリ１２に記憶させる。また、制御部１７は、各波形データＤ１に基づいて測定対象を流れる被測定量としての電流を測定して、測定データＤ２を第１メモリ１２に記憶させる。
【００２８】
続いて、記録を終了する際には、操作部１６の記録終了キー２３を操作する。この際に、操作部１６が操作信号Ｓｏを出力し、制御部１７が、信号変換部１１を制御して変換処理を停止させる。
【００２９】
次いで、記録した被測定量の波形画面Ｇ１ａ（センサから出力された電気信号Ｓｍの波形を示す画像）を表示させる際には、操作部１６の波形表示キー２４を操作する。この際に、操作部１６が、操作信号Ｓｏを出力し、制御部１７が、表示制御部１４に対して表示処理の実行を指示する。これに応じて、表示制御部１４が表示処理を実行する。この表示処理では、表示制御部１４は、第１メモリ１２から波形データＤ１および測定データＤ２を読み出す。続いて、表示制御部１４は、波形データＤ１および測定データＤ２に基づき、図３に示すように、３つの測定対象をそれぞれ流れる被測定量としての電流の波形（３つの波形）および電流の測定値を示す第１画面としての波形画面Ｇ１ａを表示部１５に表示させる。
【００３０】
一方、表示部１５に表示されている波形画面Ｇ１ａを画像データとして保存するときには、操作部１６のコピーキー２６を操作する（予め決められた第１指示操作をする）。この際に、操作部１６は、測定条件画面Ｇ２ａを第２画面とする指示を含んで、波形画面Ｇ１ａと測定条件画面Ｇ２ａとを一体にした一体化画像Ｇｃａの画像データＤ４の生成を指示する操作信号Ｓｏを出力する。
【００３１】
次いで、制御部１７は、操作信号Ｓｏに従って生成処理を実行する。この生成処理では、制御部１７は、表示部１５に表示されている波形画面Ｇ１ａ（図３参照）と、この時点では表示部１５に表示されていない測定条件画面Ｇ２ａ（図４参照）とを一体にした一体化画像Ｇｃａ（図５参照）の画像データＤ４を生成する。この場合、画像データＤ４は、ビットマップ等のラスタ形式のデータでもよいし、ベクタ形式のデータでもよい。続いて、制御部１７は、生成した画像データＤ４を第２メモリ１３に記憶させる。
【００３２】
ここで、表示部１５に表示されている画面のみの画像データを生成する構成および方法（上記した従来の測定表示装置）では、波形画面Ｇ１ａにおける被測定量の測定条件を把握するために測定条件画面Ｇ２ａの画像データＤ４を生成させようとするときには、波形画面Ｇ１ａを表示させている状態で波形画面Ｇ１ａの画像データＤ４を生成させる操作を行った後に、波形画面Ｇ１ａから測定条件画面Ｇ２ａへの表示切り替えを行い、その状態で画像データＤ４を生成させる操作を再度行う必要があって煩雑である。また、この構成および方法では、波形画面Ｇ１ａの画像データＤ４と測定条件画面Ｇ２ａの画像データＤ４とを関連付けて記憶させないと、両画像データＤ４の関連性が不明となり、被測定量がどのような測定条件で測定されたかを把握することが困難となる。
【００３３】
これに対して、この測定装置１（データ生成装置およびデータ生成方法）では、上記したように、コピーキー２６を操作したときに、被測定量を示す波形画面Ｇ１ａと被測定量の測定条件を示す測定条件画面Ｇ２ａとを一体化した一体化画像Ｇｃａの画像データＤ４を生成する。つまり、この測定装置１では、一体化画像Ｇｃａの画像データＤ４をコピーキー２６に対する１回の操作（１回の第１指示操作）で生成させることができるため、表示部１５に表示されている画面のみの画像データを生成する構成および方法と比較して、波形画面Ｇ１ａにおける被測定量の測定条件（被測定量に関連する情報）を把握可能な画像データＤ４を確実かつ容易に生成することが可能となっている。
【００３４】
なお、第２メモリ１３に記憶させた画像データＤ４に基づく一体化画像Ｇｃａ（図５参照）をプリントアウトする際には、図外の出力コネクタに図外のプリンタを接続して、第２メモリ１３から画像データＤ４を読み出し、次いで、プリンタに画像データＤ４を出力する。また、第２メモリ１３に記憶させた画像データＤ４をパーソナルコンピューター等の外部機器に出力したり、記憶媒体を介して外部機器に取り込んだりして、外部機器において一体化画像Ｇｃａを表示させることもできる。
【００３５】
一方、この測定装置１では、測定条件画面Ｇ２ａを表示部１５に表示させている状態で、操作部１６のコピーキー２６が操作されたとき（予め決められた第１指示操作がされたとき）においても、操作部１６が、測定条件画面Ｇ２ａを第２画面とする指示を含んで、波形画面Ｇ１ａと測定条件画面Ｇ２ａとを一体にした一体化画像Ｇｃａの画像データＤ４の生成を指示する操作信号Ｓｏを出力する。このため、測定条件画面Ｇ２ａの表示状態で、コピーキー２６が操作されたときにも、制御部１７が、波形画面Ｇ１ａと測定条件画面Ｇ２ａとを一体にした一体化画像Ｇｃａの画像データＤ４の生成する生成処理を実行する。
【００３６】
このように、このデータ生成装置、測定装置１およびデータ生成方法では、波形画面Ｇ１ａ（第１画面）と測定条件画面Ｇ２ａ（第２画面）とのいずれかが表示部１５に表示されている状態において操作部１６のコピーキー２６が操作されたとき（第１指示操作がされたとき）に、波形画面Ｇ１ａと測定条件画面Ｇ２ａとを一体にした一体化画像Ｇｃａの画像データＤ４を生成する。このため、このデータ生成装置、測定装置１およびデータ生成方法によれば、一体化画像Ｇｃａの画像データＤ４をコピーキー２６に対する１回の操作（１回の第１指示操作）で生成させることができる結果、表示部１５に表示されている画面のみの画像データを生成する構成および方法と比較して、波形画面Ｇ１ａにおける被測定量に関連する情報（測定条件）を把握可能な画像データＤ４を確実かつ容易に生成することができる。
【００３７】
また、このデータ生成装置、測定装置１およびデータ生成方法によれば、波形画面Ｇ１ａにおける被測定量を測定する際の測定条件に関する情報を示す測定条件画面Ｇ２ａを第１指示操作によって一体にすることを指示する第２画面として予め設定することにより、波形画面Ｇ１ａにおける被測定量に関する情報として利用頻度の高い情報である測定条件の情報を把握可能な画像データＤ４を確実かつ容易に生成することができる。
【００３８】
なお、データ生成装置、測定装置およびデータ生成方法は、上記の構成および方法に限定されない。例えば、３つの測定対象における各被測定量の波形（３つの波形）を示す波形画面Ｇ１ａを第１画面とすると共に、被測定量を測定する際の測定条件を示す測定条件画面Ｇ２ａを第１画面における被測定量に関連する情報を示す第２画面として、波形画面Ｇ１ａと測定条件画面Ｇ２ａとを一体にした一体化画像Ｇｃａ（図５参照）の画像データＤ４を生成する例について上記したが、一体化画像（画像データＤ４）の対象とする第１画面および第２画面は、これらの例には限定されない。
【００３９】
一例として、図６に示すように、１つの測定対象における被測定量の波形（１つの波形）を示す波形画面Ｇ１ｂを第１画面とする共に、他の１つの測定対象における被測定量の波形（または、同一の測定対象における被測定量を第１画面とは異なる測定時期に測定した波形）を示す画面Ｇ２ｂを第１画面における被測定量に関連する情報を示す第２画面として、波形画面Ｇ１ｂと画面Ｇ２ｂとを一体にした一体化画像Ｇｃｂの画像データＤ４を生成することができる。
【００４０】
また、図７に示すように、上記した波形画面Ｇ１ａを第１画面とする共に、使用者等が予め入力した文字情報であって、波形画面Ｇ１ａにおける被測定量に関連する文字情報（例えば、測定日時や測定場所等を記載した文字情報）を示す画面Ｇ２ｃを第１画面における被測定量に関連する情報を示す第２画面として、波形画面Ｇ１ａと画面Ｇ２ｃとを一体にした一体化画像Ｇｃｃの画像データＤ４を生成することもできる。
【００４１】
また、図８に示すように、波形画面Ｇ１ａと、複数（同図の例では、２つ）の第２画面（例えば、上記した測定条件画面Ｇ２ａおよび画面Ｇ２ｃ）とを一体にした一体化画像Ｇｃｄの画像データＤ４を生成することもできる。
【００４２】
また、コピーキー２６を操作（第１指示操作）したときに一体にすることを指示する第２画面を、複数種類の第２画面の中から予め設定することが可能な構成および方法を採用することもできる。この構成および方法によれば、第１画面と共に一体にする第２画面を、画像データＤ４の利用目的に応じて、任意に指定することができるため、利便性を十分に高めることができる。
【００４３】
また、上記した各例（図５〜図８に示す例）では、第１画面および第２画面を上下方向に沿って並べて一体にした一体化画像の画像データＤ４を生成しているが、各画面の並べ方はこれに限定されない。例えば、各画面を左右に並べたり、各画面の一部を重ねて並べたり、各画面を離間させて並べたりして一体にした一体化画像の画像データＤ４を生成する構成および方法を採用することもできる。
【００４４】
また、コピーキー２６に対する操作を第１指示操作とした例について上記したが、他のキーに対する操作や、ポインティングデバイスを用いた操作を第１指示操作とする構成および方法を採用することもできる。また、表示部１５にタッチパネルを配設して、そのタッチパネルに対する操作を第１指示操作とする構成および方法を採用することもできる。
【００４５】
また、操作部１６における予め決められたキーに対する操作（第２指示操作）がされたときに、図９に示すように、波形画面Ｇ１ａのみで構成された画像Ｇｅの画像データＤ４を生成する構成および方法を採用することもできる。この場合、第２指示操作用の専用のキーを操作部１６に設けてもよいし、上記したコピーキー２６に第２指示操作の機能を使用者の設定によって割り当ててもよい。また、ポインティングデバイスを用いた操作を第２指示操作としたり、表示部１５にタッチパネルを配設して、そのタッチパネルに対する操作を第２指示操作とすることもできる。第２指示操作がされたときに画像Ｇｅの画像データＤ４を生成するこの構成および方法によれば、画像データＤ４内に第２画面に相当するデータを含めることが不要なときには、第２指示操作をすることで、第２画面に相当するデータを省略したデータサイズが小さい画像データＤ４を生成させることができるため、第２メモリ１３の効率的な利用、および画像データＤ４の読み出しや書き込みの高速化を図ることができる。また、このような画像データＤ４を生成させることで、画像データＤ４に基づく画像をプリントアウトしたり、表示させたりする際に、第２画面に相当する不要な部分を省くことができる。
【００４６】
また、被測定量としての電流を測定する例について上記したが、被測定量は、電流に限定されない。例えば、電圧、抵抗、電力、位相、温度、湿度、歪み、輝度、照度等の各種の物理量や、原子量、分子量、化学式量等の各種の化学量も被測定量に含まれる。したがって、データ生成装置、測定装置、およびデータ生成方法を用いて、これらの各種の被測定量を測定する際にも、上記した各効果を実現することができる。
【００４７】
また、制御部１７が処理部および測定部の双方として機能する例について上記したが、処理部と測定部とを別々のデバイスで構成することもできる。また、処理部、測定部および表示制御部（上記の例における制御部１７および表示制御部１４）を１つのデバイスで構成することもできる。さらに、処理部と表示制御部とを１つのデバイスで構成すると共に測定部を別のデバイスで構成したり、測定部と表示制御部とを１つのデバイスで構成すると共に処理部を別のデバイスで構成したりすることもできる。
【符号の説明】
【００４８】
１  測定装置
１４  表示制御部
１５  表示部
１６  操作部
１７  制御部
２６  コピーキー
Ｄ４  画像データ
Ｇ１ａ，Ｇ１ｂ  波形画面
Ｇ２ａ  測定条件画面
Ｇ２ｂ，Ｇ２ｃ，  画面
Ｇｃａ，Ｇｃｂ，Ｇｃｃ，Ｇｃｄ  一体化画像
Ｇｅ  画像
【図１】
0006472627.tif 000002
【図２】
0006472627.tif 000003
【図３】
0006472627.tif 000004
【図４】
0006472627.tif 000005
【図５】
0006472627.tif 000006
【図６】
0006472627.tif 000007
【図７】
0006472627.tif 000008
【図８】
0006472627.tif 000009
【図９】
0006472627.tif 000010